(57)【要約】【課題】  ハイブリッドマルチツールエンジン溶接システムを提供する。【解決手段】  ハイブリッドエンジン溶接システムの実施形態が開示される。１つの実施形態は、エンジンと、発電機と、エンジンを機械的に発電機に結合／から分断する第１の切断デバイスとを含む。コンプレッサは、圧縮空気流を発生させ、および／またはポンプは、液圧を発生させる。第２の切断デバイスは、発電機を機械的にコンプレッサおよび／またはポンプに結合／から分断する。電子機器は、発電機をバッテリに動作可能に接続する。バッテリおよび電子機器は、発電機がエンジンから分断され、かつコンプレッサまたはポンプに結合されると、モータとして可変速度で発電機に電力を供給し、圧縮空気流および／または液圧の大きさを選択可能に変化させることを可能にする。【選択図】図１
2019136775.tif 000002
【特許請求の範囲】
【請求項１】
ハイブリッドエンジン溶接システムであって、
エンジンおよび発電機と、
前記エンジンを機械的に前記発電機に結合／から分断するように構成された第１の切断デバイスと、
圧縮空気流を発生させるように構成されたコンプレッサまたは液圧を発生させるように構成されたポンプの少なくとも１つと、
前記発電機を機械的に前記コンプレッサまたは前記ポンプの少なくとも１つに結合／から分断するように構成された少なくとも１つの第２の切断デバイスと、
バッテリと、
前記発電機および前記バッテリに動作可能に接続された電子機器と
を含み、
前記バッテリおよび前記電子機器は、前記発電機が前記エンジンから分断され、かつ前記コンプレッサまたは前記ポンプの少なくとも１つに結合されると、モータとして可変速度で前記発電機に電力を供給して、前記圧縮空気流または前記液圧の少なくとも１つの大きさを選択可能に変化させることを可能にするように構成されている、ハイブリッドエンジン溶接システム。
【請求項２】
前記発電機および前記電子機器は、前記発電機が前記エンジンに結合され、かつ前記エンジンによって機械的に駆動されると、５０Ｈｚの補助電力または６０Ｈｚの補助電力の少なくとも１つを生成するように構成されている、請求項１に記載のハイブリッドエンジン溶接システム。
【請求項３】
前記バッテリおよび前記電子機器は、５０Ｈｚの補助電力または６０Ｈｚの補助電力の少なくとも１つを生成するように構成されている、請求項１に記載のハイブリッドエンジン溶接システム。
【請求項４】
前記発電機および前記電子機器は、前記発電機が前記エンジンに結合され、かつ前記エンジンによって機械的に駆動されると、溶接作業のための溶接電力および前記バッテリを再充電するための充電電力の少なくとも１つを発生させるように構成されている、請求項１に記載のハイブリッドエンジン溶接システム。
【請求項５】
前記発電機は、前記エンジンに結合され、かつ前記エンジンによって機械的に駆動され、および前記コンプレッサまたは前記ポンプの少なくとも１つに結合されると、前記コンプレッサまたは前記ポンプの少なくとも１つを機械的に駆動して、前記圧縮空気流または前記液圧の少なくとも１つの前記大きさを変化させるように構成されている、請求項１に記載のハイブリッドエンジン溶接システム。
【請求項６】
前記電子機器は、ＤＣ電力をＡＣ電力に変換するインバータ回路、ＡＣ電力をＤＣ電力に変換する整流器回路またはＤＣ電力を調整するＤＣ調整器回路の少なくとも１つを含む、請求項１に記載のハイブリッドエンジン溶接システム。
【請求項７】
前記第１の切断デバイスおよび前記第２の切断デバイスの少なくとも１つは、クラッチである、請求項１に記載のハイブリッドエンジン溶接システム。
【請求項８】
ユーザが前記電子機器に遠隔で命令を与えて、前記圧縮空気流または前記液圧の少なくとも１つの前記大きさを変化させることを可能にするように構成されたユーザインタフェース制御部をさらに含む、請求項１に記載のハイブリッドエンジン溶接システム。
【請求項９】
前記バッテリおよび前記電子機器は、溶接作業のための溶接電力を発生させるように構成されている、請求項１に記載のハイブリッドエンジン溶接システム。
【請求項１０】
ハイブリッドエンジン溶接システムであって、
エンジンと、
永久磁石発電機サブシステムであって、永久磁石発電機を含み、かつ前記永久磁石発電機が前記エンジンに機械的に結合され、かつ前記エンジンによって機械的に駆動されると、溶接のための溶接電力を供給するように構成された永久磁石発電機サブシステムと、
前記エンジンを機械的に前記永久磁石発電機に結合／から分断するように構成された第１の切断デバイスと、
前記永久磁石発電機に機械的に結合され、かつ少なくとも１つの補助ツールに電力を供給するための補助電力を発生させるように構成された同期発電機と、
圧縮空気流を発生させるように構成されたコンプレッサまたは液圧を発生させるように構成されたポンプの少なくとも１つと、
前記同期発電機を機械的に前記コンプレッサまたは前記ポンプの少なくとも１つに結合／から分断するように構成された少なくとも１つの第２の切断デバイスと
を含み、
前記永久磁石発電機は、前記永久磁石発電機が前記エンジンに機械的に結合され、かつ前記エンジンによって機械的に駆動されると、前記同期発電機を機械的に駆動して、前記同期発電機に、
前記少なくとも１つの補助ツールに電力を供給するための前記補助電力を発生させることと、
前記コンプレッサまたは前記ポンプの少なくとも１つを機械的に駆動して、前記同期発電機が前記コンプレッサまたは前記ポンプの少なくとも１つに機械的に結合されると、前記圧縮空気流または前記液圧の少なくとも１つを供給することと
を行わせるように構成されている、ハイブリッドエンジン溶接システム。
【請求項１１】
バッテリと、前記バッテリおよび前記永久磁石発電機サブシステムに動作可能に接続された電子機器とをさらに含み、前記バッテリおよび前記電子機器は、前記永久磁石発電機が前記エンジンから分断され、かつ前記同期発電機および前記少なくとも１つの第２の切断デバイスを介して前記コンプレッサまたは前記ポンプの少なくとも１つに結合されると、モータとして可変速度で前記永久磁石発電機に電力を供給して、前記圧縮空気流または前記液圧の少なくとも１つの大きさを選択可能に変化させることを可能にするように構成されている、請求項１０に記載のハイブリッドエンジン溶接システム。
【請求項１２】
バッテリと、前記バッテリおよび前記永久磁石発電機サブシステムに動作可能に接続された電子機器とをさらに含み、前記バッテリおよび前記電子機器は、前記永久磁石発電機が前記エンジンから分断されると、モータとして前記永久磁石発電機に電力を供給して、前記少なくとも１つの補助ツールに電力を供給するための前記補助電力を発生させるために前記同期発電機を機械的に駆動するように構成されている、請求項１０に記載のハイブリッドエンジン溶接システム。
【請求項１３】
バッテリと、前記バッテリおよび前記永久磁石発電機サブシステムに動作可能に接続された電子機器とをさらに含み、前記バッテリおよび前記電子機器は、前記永久磁石発電機が前記エンジンから分断されると、溶接作業のための溶接電力を発生させるように構成されている、請求項１０に記載のハイブリッドエンジン溶接システム。
【請求項１４】
バッテリと、前記バッテリおよび前記永久磁石発電機サブシステムに動作可能に接続された電子機器とをさらに含み、前記永久磁石発電機は、前記永久磁石発電機が前記エンジンに機械的に結合され、かつ前記エンジンによって機械的に駆動されると、前記電子機器を介して前記バッテリを再充電するための充電電力を発生させるように構成されている、請求項１０に記載のハイブリッドエンジン溶接システム。
【請求項１５】
バッテリと、前記バッテリおよび前記永久磁石発電機サブシステムに動作可能に接続された電子機器とをさらに含み、前記電子機器は、ＤＣ電力をＡＣ電力に変換するインバータ回路、ＡＣ電力をＤＣ電力に変換する整流器回路またはＤＣ電力を調整するＤＣ調整器回路の少なくとも１つを含む、請求項１０に記載のハイブリッドエンジン溶接システム。
【請求項１６】
ハイブリッドエンジン溶接システムであって、
第１の機械的動力を生成するように構成されたエンジンと、
第１の電気的動力を生成するように構成されたバッテリと、
圧縮空気流を発生させるように構成されたコンプレッサまたは液圧を発生させるように構成されたポンプの少なくとも１つと、
前記エンジンと、前記コンプレッサまたは前記ポンプの少なくとも１つとの間に機械的に結合された発電機であって、ブーストモード中、前記第１の機械的動力を前記コンプレッサまたは前記ポンプの少なくとも１つに伝達して、前記コンプレッサまたは前記ポンプの少なくとも１つを機械的に駆動するように構成される発電機と、
前記発電機および前記バッテリに動作可能に接続された電子機器と
を含み、
前記ブーストモード中、前記電子機器は、前記第１の電気的動力を前記発電機に分配するように構成されており、前記発電機は、前記第１の電気的動力をブースト用機械的動力に変換し、かつ前記ブースト用機械的動力を前記第１の機械的動力とともに前記コンプレッサまたは前記ポンプの少なくとも１つに伝達して、前記コンプレッサまたは前記ポンプの少なくとも１つを機械的に駆動するように構成されている、ハイブリッドエンジン溶接システム。
【請求項１７】
前記発電機は、永久磁石発電機である、請求項１６に記載のハイブリッドエンジン溶接システム。
【請求項１８】
前記電子機器は、インバータ回路、整流器回路およびチョッパ回路の少なくとも１つを含む、請求項１６に記載のハイブリッドエンジン溶接システム。
【請求項１９】
混合モード中、前記発電機は、
前記第１の機械的動力の第１の部分を前記コンプレッサまたは前記ポンプの少なくとも１つに伝達して、前記コンプレッサまたは前記ポンプの少なくとも１つを機械的に駆動することと、
前記第１の機械的動力の第２の部分を第２の電気的動力に変換することと
を行うように構成され、および前記電子機器は、
前記第１の電気的動力および前記第２の電気的動力の第１の部分を溶接作業のための溶接電力に変換することと、
前記第１の電気的動力および前記第２の電気的動力の第２の部分を、少なくとも１つの補助ツールに電力を供給するための補助電力に変換するように構成されている、請求項１６に記載のハイブリッドエンジン溶接システム。
【請求項２０】
前記補助電力は、５０Ｈｚの補助電力または６０Ｈｚの補助電力の少なくとも１つである、請求項１９に記載のハイブリッドエンジン溶接システム。
【発明の詳細な説明】
【技術分野】
【０００１】
本発明の実施形態は、ハイブリッドマルチツールエンジン溶接システムに関連するシステム、装置および方法に関する。
【背景技術】
【０００２】
従来の溶接型装置は、２つの基本的なカテゴリに分類することができる。第１のカテゴリは、静的電力としても知られている、送電コンセントからの動作電力を受け取る。第２のカテゴリは、回転電力としても知られている、内燃エンジンを有するポータブル型または自己充足的なスタンドアローン型の溶接機である。供給電力が直ちに利用できない場所で溶接が必要とされることがよくある。多くの環境では、従来の静的電力駆動型の溶接機が好適であるが、エンジン駆動型の溶接機は、静的電力を利用できない場所での溶接型プロセスを可能にする。回転電力駆動型の溶接機は、エンジンの動作によって生成された電力を利用することで動作する。そのため、溶接電源は、発電機を組み込んだエンジン駆動型の溶接電源であり得る。発電機は、溶接機だけでなく、その場で必要となり得る他の電動ツールにも電力を供給することができる。用途が異なれば、必要な溶接機および電動ツールのバージョンも異なる。そのようなことから、エンジン駆動型の溶接機および溶接型装置は、持ち運びが可能であるため、重要なニーズを満たす。ハイブリッドエンジン駆動型の溶接機−発電機は、これまで当技術分野において広く議論されてきた。例えば、ハイブリッドエンジン駆動型の溶接機−発電機のハイブリッドバッテリは、補助電源として使用することができる。しかしながら、このようなハイブリッドエンジン駆動型の溶接機−発電機は、発電機およびバッテリからの電力をどのように分配および使用することができるかに関して制限されてきた。
【発明の概要】
【課題を解決するための手段】
【０００３】
１つの実施形態では、ハイブリッドエンジン溶接システムが提供される。ハイブリッドエンジン溶接システムは、エンジンおよび発電機を含む。第１の切断デバイスは、エンジンを機械的に発電機に結合／から分断するように構成されている。システムは、（圧縮空気流を発生させるように構成された）コンプレッサまたは（液圧を発生させるように構成された）ポンプの少なくとも１つをさらに含む。少なくとも１つの第２の切断デバイスは、発電機を機械的にコンプレッサまたはポンプの少なくとも１つに結合／から分断するように構成されている。システムは、バッテリと、発電機およびバッテリに動作可能に接続された電子機器とを含む。バッテリおよび電子機器は、発電機がエンジンから分断され、かつコンプレッサまたはポンプの少なくとも１つに結合されると、モータとして可変速度で発電機に電力を供給するように構成されている。このような構成により、圧縮空気流または液圧の少なくとも１つの大きさを選択可能に変化させることが可能になる。１つの実施形態では、発電機および電子機器は、発電機がエンジンに結合され、かつエンジンによって機械的に駆動されると、５０Ｈｚの補助電力または６０Ｈｚの補助電力の少なくとも１つを生成するように構成されている。１つの実施形態では、バッテリおよび電子機器は、５０Ｈｚの補助電力または６０Ｈｚの補助電力の少なくとも１つを生成するように構成されている。１つの実施形態では、発電機および電子機器は、発電機がエンジンに結合され、かつエンジンによって機械的に駆動されると、溶接作業のための溶接電力およびバッテリを再充電するための充電電力の少なくとも１つを発生させるように構成されている。１つの実施形態では、発電機は、エンジンに結合され、かつエンジンによって機械的に駆動され、およびコンプレッサまたはポンプの少なくとも１つに結合されると、コンプレッサまたはポンプの少なくとも１つを機械的に駆動して、圧縮空気流または液圧の少なくとも１つの大きさを変化させるように構成されている。１つの実施形態では、電子機器は、ＤＣ電力をＡＣ電力に変換するインバータ回路、ＡＣ電力をＤＣ電力に変換する整流器回路またはＤＣ電力を調整するＤＣ調整器回路の少なくとも１つを含む。１つの実施形態では、第１の切断デバイスおよび第２の切断デバイスの少なくとも１つは、クラッチである。１つの実施形態では、システムは、ユーザが電子機器に遠隔で命令を与えて、圧縮空気流または液圧の少なくとも１つの大きさを変化させることを可能にするように構成されたユーザインタフェース制御部を含む。１つの実施形態では、バッテリおよび電子機器は、溶接作業のための溶接電力を発生させるように構成されている。
【０００４】
１つの実施形態では、ハイブリッドエンジン溶接システムが提供される。ハイブリッドエンジン溶接システムは、エンジンと、永久磁石発電機を有する永久磁石発電機サブシステムとを含む。永久磁石発電機サブシステムは、永久磁石発電機がエンジンに機械的に結合され、かつエンジンによって機械的に駆動されると、溶接のための溶接電力を供給するように構成されている。第１の切断デバイスは、エンジンを機械的に永久磁石発電機に結合／から分断するように構成されている。同期発電機は、永久磁石発電機に機械的に結合され、かつ少なくとも１つの補助ツールに電力を供給するための補助電力を発生させるように構成されている。（圧縮空気流を発生させるように構成された）コンプレッサまたは（液圧を発生させるように構成された）ポンプの少なくとも１つが提供される。少なくとも１つの第２の切断デバイスは、同期発電機を機械的にコンプレッサまたはポンプの少なくとも１つに結合／から分断するように構成されている。永久磁石発電機は、永久磁石発電機がエンジンに機械的に結合され、かつエンジンによって機械的に駆動されると、同期発電機を機械的に駆動するように構成されている。同期発電機は、駆動されると、少なくとも１つの補助ツールに電力を供給するための補助電力を発生させる。同期発電機は、駆動されると、コンプレッサまたはポンプの少なくとも１つも機械的に駆動して、同期発電機がコンプレッサまたはポンプの少なくとも１つに機械的に結合されると、圧縮空気流または液圧の少なくとも１つを供給する。１つの実施形態は、バッテリと、バッテリおよび永久磁石発電機サブシステムに動作可能に接続された電子機器とを含む。バッテリおよび電子機器は、永久磁石発電機がエンジンから分断され、かつ同時発電機および少なくとも１つの第２の切断デバイスを介してコンプレッサまたはポンプの少なくとも１つに結合されると、モータとして可変速度で永久磁石発電機に電力を供給するように構成されている。これにより、圧縮空気流または液圧の少なくとも１つの大きさを選択可能に変化させることが可能になる。１つの実施形態では、バッテリおよび電子機器は、（永久磁石発電機がエンジンから分断されると）モータとして永久磁石発電機に電力を供給して、少なくとも１つの補助ツールに電力を供給するための補助電力を発生させるために同期発電機を機械的に駆動するように構成されている。１つの実施形態では、バッテリおよび電子機器は、永久磁石発電機がエンジンから分断されると、溶接作業のための溶接電力を発生させるように構成されている。１つの実施形態では、永久磁石発電機は、（永久磁石発電機がエンジンに結合され、かつエンジンによって機械的に駆動されると）電子機器を介してバッテリを再充電するための充電電力を発生させるように構成されている。１つの実施形態では、電子機器は、ＤＣ電力をＡＣ電力に変換するインバータ回路、ＡＣ電力をＤＣ電力に変換する整流器回路またはＤＣ電力を調整するＤＣ調整器回路の少なくとも１つを含む。
【０００５】
１つの実施形態では、ハイブリッドエンジン溶接システムが提供される。ハイブリッドエンジン溶接システムは、第１の機械的動力を生成するように構成されたエンジンと、第１の電気的動力を生成するように構成されたバッテリとを含む。（圧縮空気流を発生させるように構成された）コンプレッサまたは（液圧を発生させるように構成された）ポンプの少なくとも１つが提供される。発電機は、エンジンと、コンプレッサまたはポンプの少なくとも１つとの間に機械的に結合されている。ブーストモード中、発電機は、第１の機械的動力をコンプレッサまたはポンプの少なくとも１つに伝達して、コンプレッサまたはポンプの少なくとも１つを機械的に駆動するように構成されている。電子機器は、発電機およびバッテリに動作可能に接続されている。ブーストモード中、電子機器は、第１の電気的動力を発電機に分配するように構成されており、ここで、発電機は、第１の電気的動力をブースト用機械的動力に変換するように構成されている。発電機は、ブースト用機械的動力を第１の機械的動力とともにコンプレッサまたはポンプの少なくとも１つに伝達して、コンプレッサまたはポンプの少なくとも１つを機械的に駆動するようにも構成されている。１つの実施形態では、発電機は、永久磁石発電機である。１つの実施形態では、電子機器は、インバータ回路、整流器回路およびチョッパ回路の少なくとも１つを含む。１つの実施形態では、混合モード中、発電機は、機械的動力の第１の部分をコンプレッサまたはポンプの少なくとも１つに伝達して、コンプレッサまたはポンプの少なくとも１つを機械的に駆動するように構成されている。また、混合モード中、発電機は、機械的動力の第２の部分を第２の電気的動力に変換するように構成されている。さらに、混合モード中、電子機器は、第１の電気的動力および第２の電気的動力の第１の部分を溶接作業のための溶接電力に変換するように構成されている。また、混合モード中、電子機器は、第１の電気的動力および第２の電気的動力の第２の部分を、少なくとも１つの補助ツールに電力を供給するための補助電力に変換するように構成されている。１つの実施形態では、補助電力は、５０Ｈｚの補助電力または６０Ｈｚの補助電力の少なくとも１つである。
【０００６】
本明細書に組み込まれかつ本明細書の一部を構成する添付の図面は、本開示の様々な実施形態を図示する。図に示されている要素の境界（例えば、囲み枠、囲み枠の群または他の形状）は、境界の１つの実施形態を表すことが認識されるであろう。いくつかの実施形態では、１つの要素が複数の要素として意図されている場合もあれば、こうした複数の要素が１つの要素として意図されている場合もある。いくつかの実施形態では、別の要素の内部構成部品として示されている要素が外部構成部品として実装され得、その逆も同様である。さらに、要素は、一定の縮尺で描かれていない場合がある。
【図面の簡単な説明】
【０００７】
【図１】バッテリ充電モードにおけるハイブリッドエンジン溶接システムの１つの実施形態のシステムのブロック図を図示する。
【図２】ハイブリッドバッテリモードにおけるハイブリッドエンジン溶接システムの１つの実施形態のシステムのブロック図を図示する。
【図３】混合モードまたはブーストモードにおけるハイブリッドエンジン溶接システムの１つの実施形態のシステムのブロック図を図示する。
【図４】永久磁石発電機および同期発電機を有する代替的なハイブリッドエンジン溶接システムの１つの実施形態のシステムのブロック図を図示する。
【図５】図１〜図４のシステムにおいて用いられる電子機器の１つの実施形態の装置のブロック図を図示する。
【図６】図１〜図４のシステムと組み合わせて用いられるユーザインタフェース制御部の１つの実施形態の装置のブロック図を図示する。
【図７】図５の電子機器の制御部または図６のユーザインタフェース制御部として使用され得る制御部構成の１つの実施形態の装置のブロック図を図示する。
【発明を実施するための形態】
【０００８】
本発明の実施形態は、バッテリから動作している間、圧縮空気流および／または液圧を供給するように構成されたハイブリッドエンジン溶接システムを提供する。ハイブリッドエンジン溶接システムは、エンジンと、発電機と、バッテリと、コンプレッサおよび／またはポンプとを用いることができる。エンジンは、例えば、ガソリン、プロパン、天然ガスまたはディーゼル燃料で作動する内燃エンジンであり得る。コンプレッサは、圧縮空気流を供給して、圧縮空気用途に対応することができる。また、ポンプは、液圧を供給して、圧液用途に対応することができる。コンプレッサおよび／またはポンプは、クラッチまたは他の機械的切断デバイスを介して発電機に接続することができる。エンジンがオフであるとき、バッテリは、エネルギーを発電機に供給することができ、発電機がコンプレッサおよび／またはポンプを回転させるモータとして作用することを可能にする。クラッチまたは他の機械的切断デバイスは、発電機をエンジンから分離し、それにより、ハイブリッドモードで動作している間、エンジンが回転しない。１つの実施形態では、発電機は、可変速度で回転し、必要に応じて圧縮空気流および／または液圧を供給することができる。動作速度（スピード）は、ユーザインタフェースを介してユーザまたは遠隔センサによって設定することができる。例えば、ハイブリッドエンジン溶接システムは、システムにフィードバックを提供する圧力センサを有する空気貯蔵タンク付きの作業車に配置することができる。実施形態は、ハイブリッド（バッテリのみの）モードで動作している間にゼロ排出および低ノイズを提供することができ、これは、周囲が取り囲まれた建物内または学校もしくは病院などの低ノイズの場所の近くで作業するときに有用であり得る。一例として、オペレータは、作業現場から作業現場へ移動する間、エンジンを用いてハイブリッドエンジン溶接システムを動作させてバッテリを充電し、次にエンジンを止めて、作業現場で特定用途のためにバッテリのみを作動させることができる。
【０００９】
ここで、図面を参照する。図面は、本発明の例示的な実施形態の説明のみを目的とするものであり、本発明の例示的な実施形態の限定を目的とするものではなく、図１は、バッテリ充電モードにおけるハイブリッドエンジン溶接システム１００の１つの実施形態のシステムのブロック図を図示する。システム１００は、エンジン１１０（例えば、ガソリン、プロパン、天然ガスまたはディーゼル燃料で作動する内燃エンジン）と、発電機１２０（例えば、永久磁石発電機または鋼板および銅巻線を積み重ねた発電機）と、コンプレッサおよび／またはポンプ１３０（圧縮空気流および／または液圧をそれぞれ供給する）と、ハイブリッドバッテリ１４０と、電子機器２００とを含む。システムは、エンジン１１０を機械的に発電機１２０に結合／から分断する第１の切断デバイス１１５（例えば、クラッチ）も含む。システムは、発電機１２０を機械的にコンプレッサ／ポンプ１３０に結合／から分断する第２の切断デバイス１２５（例えば、クラッチ）をさらに含む。
【００１０】
様々な実施形態は、コンプレッサのみ、ポンプのみ、またはコンプレッサおよびポンプを含むことができる。コンプレッサは、溶接環境では、例えばニードルスケーラ、インパクトレンチ、サンドブラスト、タイヤの空気詰めまたはエアグラインダに使用することができる。ポンプは、溶接環境において、例えば小型クレーンの操作、レールトラック上での車輪の昇降、大型作業車のアウトリガーの位置決めまたはレール研磨設備に使用することができる。
【００１１】
図１では、電子機器２００は、発電機１２０およびハイブリッドバッテリ１４０に動作可能に接続されている。バッテリ充電モードでは、エンジン１１０は、第１の切断デバイス１１５を介して発電機１２０に結合され、発電機１２０を機械的に駆動して電気を発生させる。発電機によって発生した電気の、すべてではないにしても少なくとも一部が電子機器２００によって変換され、バッテリ１４０を充電する。しかしながら、発電機１２０によって発生した電気の一部は、溶接作業のための溶接電力および／または補助ツール（例えば、グラインダ、電灯、ドリル、のこぎりおよびカッター）に電力を供給するための補助電力（例えば、５０Ｈｚおよび／または６０Ｈｚの補助電力）を生成するために使用することができる。
【００１２】
さらに、発電機１２０が第２の切断デバイス１２５を介してコンプレッサおよび／またはポンプ１３０に結合されると、発電機１２０は、コンプレッサおよび／またはポンプ１３０を機械的に駆動して、圧縮空気流および／または液圧を発生させることができる。１つの実施形態では、手動または電子機器２００の制御下でコンプレッサおよび／またはポンプ１３０の回転を変化させることにより、圧縮空気流および／または液圧の大きさを変化させることができる。例えば、１つの実施形態では、第２の切断デバイス１２５は、発電機が一定の速度で駆動されている場合でも、コンプレッサおよび／またはポンプ１３０の回転の量を変更するために変化させることが可能な歯車装置を有するギア式のデバイスである。別の実施形態では、エンジンは、様々な速度で作動されて圧縮空気流および／または液圧の大きさを変化させ得る。
【００１３】
このようにして、バッテリ充電モードでは、ハイブリッドバッテリ１４０は、再充電速度を速くするかまたは遅くすることができる。充電の速度は、エンジン１１０によって生成された動力のどの程度が変換されて電気エネルギーとしてバッテリ１４０に伝達されているか、またどの程度がコンプレッサおよび／またはポンプ１３０を駆動し、溶接電力を生成し、または補助電力を生成するために電気的エネルギーおよび／または機械的エネルギーに変換されているかによって決まる。
【００１４】
図２は、ハイブリッドバッテリモードにおけるハイブリッドエンジン溶接システム１００の１つの実施形態のシステムのブロック図を図示する。図２のシステム１００は、図１のシステム１００と同じである。しかしながら、図２では、ハイブリッドバッテリモードにおいて、第１の切断デバイス１１５は、エンジン１１０を発電機１２０に結合していない（すなわち、エンジン１１０および発電機１２０が分断されている）。ハイブリッドバッテリモードでは、バッテリ１４０および電子機器２００は、モータとして可変速度で発電機１２０に電力を供給するように構成されている。発電機１２０がエンジン１１０から分断され、（第２の切断デバイスを介して）コンプレッサおよび／またはポンプ１３０に結合されると、バッテリ１４０および電子機器２００は、モータとして発電機１２０に電力を供給して、コンプレッサおよび／またはポンプ１３０によって発生した圧縮空気流および／または液圧の大きさを選択可能に変化させることを可能にし得る。さらに、ハイブリッドバッテリモードでは、バッテリ１４０および電子機器２００を用いて溶接電力および／または補助電力を生成することができる。発電機１２０による溶接電力の量、補助電力の量ならびにコンプレッサおよび／またはポンプ１３０の回転の速度は、１つの実施形態によれば、電子機器の制御下にある。
【００１５】
１つの実施形態では、電子機器２００は、例えば、モータとして発電機１２０を駆動するために、バッテリ１４０からのＤＣ電力をＡＣ電力に変換するインバータ回路を含む。１つの実施形態では、電子機器２００は、バッテリ１４０からのＤＣ電力を、例えば調整された溶接電力に変換するＤＣ調整回路（例えば、チョッパ回路）を含む。１つの実施形態では、電子機器２００は、例えば、エンジン１１０が発電機１２０を駆動しているときにバッテリ１４０を充電するために、発電機からのＡＣ電力をＤＣ電力に変換する整流器回路を含む。変圧器、抵抗器、キャパシタ、スイッチおよび他の電気部品は、標準的な電気設計上の慣行に従ってインバータ回路、チョッパ回路および整流器回路と組み合わせて用いることができる。本明細書では、電子機器２００の１つの実施形態の特定の詳細について、図５に関して後述する。
【００１６】
図３は、混合モードまたはブーストモードにおけるハイブリッドエンジン溶接システム１００の１つの実施形態のシステムのブロック図を図示する。図３のシステム１００は、図１および図２のシステム１００と同じである。しかしながら、図３では、エンジン１１０およびハイブリッドバッテリ１４０の両方が、ブーストモードまたは混合モードにおいて使用可能なエネルギーを発生させるために使用される。エンジン１１０は、第１の機械的動力を生成し、バッテリ１４０は、第１の電気的動力を生成する。
【００１７】
ブーストモード中、発電機１２０は、第１の機械的動力をコンプレッサおよび／またはポンプ１３０に伝達してコンプレッサおよび／またはポンプ１３０を機械的に駆動する。また、ブーストモード中、電子機器２００は、バッテリ１４０からの第１の電気的動力を発電機１２０に分配する。発電機１２０は、第１の電気的動力をブースト用機械的動力に変換し、このブースト用機械的動力を第１の機械的動力とともにコンプレッサおよび／またはポンプ１３０に伝達して、コンプレッサおよび／またはポンプ１３０を機械的に駆動する。
【００１８】
当然ながら、現実には、システム１００に何らかの損失が存在する可能性が高いため、第１の機械的動力のすべておよび第１の電気的動力のすべてが完全にコンプレッサおよび／またはポンプ１３０に伝達されるわけではない。しかしながら、１つの実施形態によれば、ブーストモード中に伝達可能な動力のすべては、コンプレッサおよび／またはポンプ１３０に伝達される。このようにして、エンジン１１０によって供給される動力は、バッテリ１４０が供給する動力によってブーストされ、エンジン１１０単独で供給できるよりも大きい動力でコンプレッサおよび／またはポンプ１３０を駆動する。
【００１９】
混合モード中、発電機１２０は、エンジン１１０によって生成された第１の機械的動力の第１の部分をコンプレッサおよび／またはポンプ１３０に伝達してコンプレッサおよび／またはポンプ１３０を駆動する。発電機１２０は、エンジン１１０によって生成された第１の機械的動力の第２の部分を第２の電気的動力に変換する。電子機器２００は、バッテリ１４０からの第１の電気的動力の第１の部分および発電機１２０からの第２の電気的動力を溶接作業のための溶接電力に変換する。さらに、電子機器２００は、バッテリ１４０からの第１の電気的動力の第２の部分および発電機１２０からの第２の電気的動力を、補助ツールに電力を供給するための補助電力（例えば、５０Ｈｚの補助電力または６０Ｈｚの補助電力）に変換する。このようにして、エンジン１１０およびバッテリ１４０の両方からの動力は、コンプレッサおよび／またはポンプを駆動し、溶接電力を発生させ、補助電力を発生させるために分配される。
【００２０】
１つの実施形態では、電子機器２００は、混合モードの正確な性質を制御する。すなわち、エンジン１１０およびバッテリ１４０の両方からの動力は、電子機器２００の制御下において様々な方法でシステム１００全体にわたって分配され得る。例えば、エンジン１１０およびバッテリ１４０からの合計動力をシステム全体にわたって分配して、様々な割合で圧縮空気流および／または液圧、溶接電力ならびに補助電力を発生させることができる。あるいは、エンジン１１０およびバッテリ１４０からの合計動力を分配して、様々な割合で圧縮空気流および／または液圧、溶接電力ならびに補助電力の１つまたは２つのみを発生させることができる。制御部として機能させるために電子機器をどのように構成することが可能であるかの詳細について、本明細書では、少なくとも図５〜図７に関して後述する。
【００２１】
図４は、永久磁石発電機４１０および同期発電機４２０を有する代替的なハイブリッドエンジン溶接システム４００の１つの実施形態のシステムのブロック図を図示する。図４のシステム４００は、発電機１２０が永久磁石発電機４１０および同期発電機４２０と置き換えられている点以外には、図１〜図３のシステム１００に類似している。永久磁石発電機４１０は、例えば、ギア式の機械的結合を介して同期発電機４２０に機械的に結合されることで、同期発電機４２０の可変的な駆動を可能にし、したがってコンプレッサおよび／またはポンプ１３０の可変的な駆動を可能にする。あるいは、別の実施形態では、第２の切断デバイス１２５は、同期発電機４２０が一定の速度で駆動されている場合でも、コンプレッサおよび／またはポンプ１３０の回転の量を変更するために変化させることが可能な歯車装置を有するギア式のデバイスである。図４のシステム４００の様々な機能および動作のモードは、１つの実施形態によれば、電子機器２００によって選択および制御される。
【００２２】
例えば、いくつかのモードでは、永久磁石発電機４１０が第１の切断デバイス１１５を介してエンジン１１０に機械的に結合されて、エンジン１１０によって機械的に駆動されている場合、永久磁石発電機４１０は、溶接のための溶接電力の供給に役立つ。永久磁石発電機は、通常、例えば積み重ねた鋼板および銅巻線でできた発電機よりも高い効率および高い電力密度で作動する。同期発電機４２０は、永久磁石発電機４１０によって機械的に駆動されると、補助ツールに電力を供給するための補助電力（例えば、５０Ｈｚおよび／または６０Ｈｚの補助電力）を発生させ、電子機器２００のインバータ回路を不要にすることができる。
【００２３】
１つの実施形態では、永久磁石発電機４１０は、永久磁石発電機と、例えば整流器回路およびＤＣ調整回路（例えば、電子機器２００に類似した電子機器を有する）とを有するサブシステムとして構成され、永久磁石発電機４１０からのＡＣ電力から溶接電力を形成する。別の実施形態では、整流器回路およびＤＣ調整回路は、電子機器２００の一部であり、それにより、溶接電力は、永久磁石発電機４１０からのＡＣ電力から電子機器２００によって形成され、かつ溶接電力は、電子機器２００によって出力される。さらに、永久磁石発電機４１０からのＡＣ電力は、バッテリ１４０の再充電に使用される電子機器２００によってＤＣ電力に変換され得る。
【００２４】
他のモードでは、エンジン１１０が永久磁石発電機４１０から分断されると、バッテリ１４０および電子機器２００は、モータとして可変速度で永久磁石発電機４１０に電力を供給することができる。永久磁石発電機４１０は、同期発電機４２０を機械的に駆動し、これにより第２の切断デバイス１２５を介してコンプレッサおよび／またはポンプ１３０を駆動し、圧縮空気流および／または液圧の大きさを選択可能に変化させることを可能にする。さらに、エンジン１１０が永久磁石発電機４１０から分断されると、バッテリ１４０および電子機器２００は、同期発電機４２０を機械的に駆動して補助電力を発生させるモータとして永久磁石発電機４１０に電力を供給するために使用され得る。また、エンジン１１０が永久磁石発電機４１０から分断されると、バッテリ１４０および電子機器２００は、溶接作業のための溶接電力を発生させるために使用され得る。ここでもまた、図４のシステム４００の様々な機能および動作のモードは、１つの実施形態によれば、電子機器２００によって選択および制御される。
【００２５】
図５は、図１〜図４のシステムにおいて用いられる電子機器２００の１つの実施形態の装置のブロック図を図示する。電子機器２００は、以下の要素、すなわちプロセッサ／制御部２１０と、プロセッサ／制御部２１０がアクセス可能なメモリ２２０と、電力変換電子機器２３０と、波形発生器２４０と、通信インタフェース２５０とを含む。要素は、少なくとも１つのバス２６０を介して互いに動作可能に接続されている。バス２６０は、様々な実施形態によれば、内部要素および外部要素（例えば、発電機１２０または４１０およびバッテリ１４０）への通信および／または電力伝達を提供する。本明細書において前述したように、電子機器２００は、ハイブリッドバッテリ１４０と、発電機１２０または４１０とに動作可能に接続されている。
【００２６】
エンジン１１０、第１の切断デバイス１１５、発電機１２０または４１０、同期発電機４２０、第２の切断デバイス１２５、コンプレッサおよび／もしくはポンプ１３０またはハイブリッドバッテリ１４０の１つまたは複数は、様々な実施形態によれば、データ通信のために同様に構成され得る。電子機器２００の通信インタフェース２５０は、無線通信インタフェース（例えば、ＷｉＦｉまたはＢｌｕｅｔｏｏｔｈ（登録商標）を介するもの）および／または有線通信インタフェース（例えば、銅ケーブルまたは光ファイバを介するもの）であり得る。いくつかの実施形態によれば、通信インタフェース２５０は、例えば、エンジン１１０、第１の切断デバイス１１５、発電機１２０または４１０、同期発電機４２０、第２の切断デバイス１２５、コンプレッサおよび／またはポンプ１３０、ハイブリッドバッテリ１４０ならびに遠隔ユーザインタフェース制御部（本明細書では図６に関して後述する）の１つまたは複数と通信するように構成されている。このようにして、電子機器２００は、外部のソース（例えば、遠隔ユーザインタフェース制御部）から命令または指示を受信して、本明細書に記載の様々な動作のモードのために再構成されるように（例えば、プロセッサ／制御部２１０および通信インタフェース２５０を介して）システム１００および４００に命令することができる。
【００２７】
１つの実施形態では、電力変換電子機器２３０は、本明細書に記載の様々な対応する機能を実行するために、インバータ回路２３２と、整流器回路２３４と、チョッパ回路２３６とを含む。例えば、インバータ回路２３２は、ＤＣ電力をＡＣ電力に変換するように構成され、整流器回路２３４は、ＡＣ電力をＤＣ電力に変換するように構成されている。１つの実施形態によれば、チョッパ回路２３６は、ＤＣ調整回路として機能するように構成され得る。１つの実施形態によれば、電力変換電子機器２３０は、波形発生器２４０とともに溶接出力を発生させるように構成されている。
【００２８】
１つの実施形態では、プロセッサ／制御部２１０は、システム１００および４００の「頭脳」として機能する。プロセッサ／制御部２１０は、メモリ２２０にアクセスして、メモリ２２０からデータにアクセスし、またメモリ２２０にデータを書き込むように構成されている。例えば、１つの実施形態では、メモリ２２０は、動作のモードを定義するデータのテーブル２２２を記憶する。テーブル２２２からのデータは、プロセッサ／制御部２１０によってメモリ２２０からアクセスすることができ、エンジン１１０、第１の切断デバイス１１５、発電機１２０または４１０、同期発電機４２０、第２の切断デバイス１２５、コンプレッサおよび／またはポンプ１３０ならびにハイブリッドバッテリ１４０の１つまたは複数に送られる命令へと処理することができる。
【００２９】
１つの実施形態では、プロセッサ／制御部２１０は、命令されたシステムの様々な要素から、命令が受信および実行されたことを確認する応答を受信する。プロセッサ／制御部２１０は、システムからモニタリングされたパラメータも受信する。応答およびモニタリングされたパラメータは、１つの実施形態によれば、プロセッサ／制御部２１０によってメモリ２２０に書き込むことができる。プロセッサ／制御部２１０は、応答、モニタリングされたパラメータおよび／または外部のユーザインタフェース制御部からの新たな命令に応じて、現在の動作のモードを定義するデータまたはパラメータをリアルタイムで調節する（かつ続いてシステムに対する命令を調節する）ように構成されている。このようにして、プロセッサ／制御部２１０は、リアルタイムの制御装置として機能し、例えば条件の変化につれてシステム機能をバランスのとれた状態および範囲内に保つようにする。
【００３０】
図６は、図１〜図４のシステムと組み合わせて用いられるユーザインタフェース制御部６００の１つの実施形態の装置のブロック図を図示する。１つの実施形態では、ユーザインタフェース制御部６００は、動作のモードを選択し、ハイブリッドエンジン溶接システムのパラメータ／条件を観察するために人間のオペレータが使用する遠隔操作制御装置である。このようにして、ハイブリッドエンジン溶接システムに動作可能に接続されたツールを使用するオペレータは、ハイブリッドエンジン溶接システムから離れた場所にいてもなお、システムを制御することが可能である。ユーザインタフェース制御部６００は、プロセッサ６１０と、プロセッサ６１０がアクセス可能なメモリ６２０とを含む。ユーザインタフェース制御部６００はまた、グラフィカルタッチパネル式インタフェース／ディスプレイ６３０と、プッシュボタン６４０と、例えばハイブリッドエンジン溶接システムの電子機器２００と通信する通信インタフェース６５０とを含む。ユーザインタフェース制御部６００の要素は、少なくとも１つのバス６６０を介して互いに動作可能に接続されている。バス６６０により、様々な要素６１０〜６５０間の通信および／または様々な要素６１０〜６５０への電力供給が可能になる。
【００３１】
グラフィカルタッチパネル式インタフェース／ディスプレイ６３０およびプッシュボタン６４０により、人間のオペレータが、パラメータ（例えば、圧縮空気流の大きさ、液圧の大きさ）、システムの動作のモード（例えば、ハイブリッドバッテリモード、バッテリ充電モード、ブーストモード、混合モード）および各モードの実行可能なサブモード（例えば、混合モードにおけるシステム全体にわたるエンジン動力およびバッテリ動力の具体的な分配を定義するサブモード）を選択することが可能になる。グラフィカルタッチパネル式インタフェース／ディスプレイ６３０は、例えば、メニュー選択肢／アイコン、現在の設定情報および通信インタフェース６５０を介してハイブリッドエンジン溶接システムから受信したパラメータ情報などの情報も人間のオペレータに表示する。通信インタフェース６５０は、様々な実施形態によれば、有線通信インタフェース（例えば、ケーブルまたは光ファイバを介するもの）および／または無線通信インタフェース（例えば、ＷｉＦｉまたはＢｌｕｅｔｏｏｔｈ（登録商標）を介するもの）として構成され得る。
【００３２】
１つの実施形態によれば、メモリ６２０は、モード識別子６２２を記憶する。モード識別子６２２は、オペレータによる選択が可能であり、プロセッサ６１０によるアクセスが可能であり、通信インタフェース６５０を介してハイブリッドエンジン溶接システムに送信することが可能である。モード識別子６２２は、電子機器２００のメモリ２２０に記憶された、動作のモードを定義するテーブル２２２からのデータにアクセスするためにハイブリッドエンジン溶接システムによって使用される。
【００３３】
１つの実施形態によれば、ユーザインタフェース制御部６００は、携帯型デバイスとして構成されている。例えば、１つの実施形態では、ユーザインタフェース制御部６００は、ユーザインタフェース制御部の機能を実行する１つまたは複数のソフトウェアアプリケーションを実行可能なスマートフォンである。代替的な実施形態によれば、ユーザインタフェース制御部６００は、ハイブリッドエンジン溶接システムの電子機器２００に組み込まれている。すなわち、ユーザインタフェース制御部６００は、ハイブリッドエンジン溶接システムにとってもはや外部または離れたものではない。このようにして、オペレータは、システムから距離をおいて離れるのではなく、システム内でローカルにハイブリッドエンジン溶接システムを制御することができる。
【００３４】
図７は、図５の電子機器の制御部または図６のユーザインタフェース制御部として使用され得る制御部構成７００の１つの実施形態の装置のブロック図を図示する。制御部構成７００は、バスサブシステム７１２を介して複数の周辺機器と通信する少なくとも１つのプロセッサ７１４を含む。これらの周辺機器は、例えば、メモリサブシステム７２８およびファイル記憶サブシステム７２６を含む記憶サブシステム７２４と、ユーザインタフェース入力デバイス７２２と、ユーザインタフェース出力デバイス７２０と、ネットワークインタフェースサブシステム７１６とを含むことができる。入力デバイスおよび出力デバイスにより、制御部構成７００とのユーザ対話が可能になっている。ネットワークインタフェースサブシステム７１６は、外部ネットワークへのインタフェースを提供し、かつ他のコンピュータシステムの対応するインタフェースデバイスに結合されている。他のコンピュータシステムは、制御部構成７００と１つまたは複数の特性を共有し、例えば従来のコンピュータ、デジタル信号プロセッサおよび／または他のコンピュータデバイスの要素を含むことができる。
【００３５】
ユーザインタフェース入力デバイス７２２は、キーボード、マウス、トラックボール、タッチパッドまたはグラフィックスタブレットなどのポインティングデバイス、スキャナ、ディスプレイに組み込まれたタッチスクリーン、音声認識システム、マイクロホンなどのオーディオ入力デバイスおよび／または他のタイプの入力デバイスを含むことができる。概して、「入力デバイス」という用語の使用は、制御部構成７００にまたは通信ネットワーク上に情報を入力するために可能なすべてのタイプのデバイスおよび方法を含むように意図される。
【００３６】
ユーザインタフェース出力デバイス７２０は、ディスプレイサブシステム、プリンタ、ファックス機またはオーディオ出力デバイスなどの非視覚的ディスプレイを含むことができる。ディスプレイサブシステムは、陰極線管（ＣＲＴ）、液晶ディスプレイ（ＬＣＤ）などの平面パネルデバイス、投影装置または他の何らかの可視画像を作成するための機構を含むことができる。ディスプレイサブシステムは、オーディオ出力デバイスなどを介して非視覚的ディスプレイも提供することができる。概して、「出力デバイス」という用語の使用は、制御部構成７００からの情報をユーザまたは別の機械もしくはコンピュータシステムに出力するために可能なすべてのタイプのデバイスおよび方法を含むように意図される。
【００３７】
記憶サブシステム７２４は、本明細書に記載の制御部の機能の一部またはすべてを提供するプログラミングおよびデータ構造を記憶する。例えば、制御部構成７００がユーザインタフェース制御部６００として使用される場合、記憶サブシステム７２４は、記憶サブシステム７２４に記憶された、人間のオペレータによって選択されたモード識別子に基づいて動作のモードを命令するためのコンピュータ実行可能命令を含む１つまたは複数のソフトウェアモジュールを含むことができる。
【００３８】
これらのソフトウェアモジュールは、概して、プロセッサ７１４のみによってまたは他のプロセッサと組み合わせて実行される。記憶サブシステムで使用されるメモリサブシステム７２８は、プログラム実行中の命令およびデータを記憶するためのメインランダムアクセスメモリ（ＲＡＭ）７３０と、確定した命令がそれに記憶される読み取り専用メモリ（ＲＯＭ）７３２とを含む複数のメモリを含むことができる。ファイル記憶サブシステム７２６は、プログラムおよびデータファイルの永続的な記憶を提供することが可能であり、ハードディスクドライブ、フロッピーディスクドライブとそれに関連する取り外し可能な媒体、ＣＤ−ＲＯＭドライブ、光学ドライブまたは取り外し可能な媒体カートリッジを含むことができる。特定の実施形態の機能を実装するモジュールは、ファイル記憶サブシステム７２６によって記憶サブシステム７２４に記憶するか、またはプロセッサ７１４がアクセス可能な他の機械に記憶することができる。
【００３９】
バスサブシステム７１２は、制御部構成７００の様々な構成部品およびサブシステムを意図した通りに互いに通信させるための機構を提供する。バスサブシステム７１２は、単一のバスとして概略的に示されているが、バスサブシステムの代替的な実施形態は、複数のバスを使用することができる。
【００４０】
制御部構成７００は、単一のコンピュータ、単一のワークステーション、コンピュータクラスタ、サーバコンピュータもしくは任意の他のデータ処理システムまたは本明細書に記載のユーザインタフェース／制御機能を実行するように構成されたコンピュータデバイスを含む様々な実装形態のものであり得る。コンピュータデバイスおよびネットワークの性質が常に変化するため、図７に描かれた制御部構成７００の説明は、いくつかの実施形態を説明する目的のための具体例としてのみ意図される。図７に描かれた制御部構成７００よりも構成部品の数が多いかまたは構成部品の数が少ない制御部構成の多数の他の構成が可能である。
【００４１】
いくつかの実施形態によれば、図５の電子機器２００および図６のユーザインタフェース制御部６００のいずれも、図７の制御部構成７００のものと同様の要素および構成を共有することができる。例えば、図５のメモリ２２０または図６のメモリ６２０は、１つの実施形態によれば、図７の記憶サブシステム７２４と同様に構成され得る。
【００４２】
開示された実施形態が図示されかつかなり詳細に説明されているが、特許請求の範囲をこのような詳細に制限するようにもまたは決して限定するようにも意図されていない。主題の様々な態様を説明するという目的のために、考え得る構成要素または方法論の組み合わせをすべて説明することは、当然ながら不可能である。したがって、本開示は、特定の詳細または図示および説明されている例示的な例に限定されない。このため、本開示は、特許請求の範囲内にある変更形態、修正形態および変形形態を包含するように意図されており、それらは、米国特許法第１０１条の法定主題要件を満たす。上述した特定の実施形態の説明は、例として与えられている。与えられた本開示から、当業者は、全般的な発明概念および付随する利点を理解するだけでなく、開示された構造および方法に対する明らかな様々な変更形態および修正形態も見出すであろう。例えば、追加的または代替的な構成要素を有する代替的な方法および／またはシステムを用いて、ハイブリッドモード、充電モード、ブーストモードおよび混合モードの動作が可能になるようにハイブリッドエンジン溶接システムを構成することができる。したがって、そのような変更形態および修正形態のすべてを、特許請求の範囲によって定義されている本発明の全般的概念ならびにそれらの均等物の趣旨および範囲内に入るものとして包含することが求められる。
【符号の説明】
【００４３】
１００  ハイブリッドエンジン溶接システム
１１０  エンジン
１１５  第１の切断デバイス
１２０  発電機
１２５  第２の切断デバイス
１３０  コンプレッサおよび／またはポンプ
１４０  ハイブリッドバッテリ
２００  電子機器
２１０  プロセッサ／制御部
２２０  メモリ
２２２  テーブル
２３０  電力変換電子機器
２３２  インバータ回路
２３４  整流器回路
２３６  チョッパ回路
２４０  波形発生器
２５０  通信インタフェース
２６０  バス
４００  代替的なハイブリッドエンジン溶接システム
４１０  永久磁石発電機
４２０  同期発電機
６００  ユーザインタフェース制御部
６１０  プロセッサ
６２０  メモリ
６２２  モード識別子
６３０  グラフィカルタッチパネル式インタフェース／ディスプレイ
６４０  プッシュボタン
６５０  通信インタフェース
６６０  バス
７００  制御部構成
７１２  バスサブシステム
７１４  プロセッサ
７１６  ネットワークインタフェースサブシステム
７２０  ユーザインタフェース出力デバイス
７２２  ユーザインタフェース入力デバイス
７２４  記憶サブシステム
７２６  ファイル記憶サブシステム
７２８  メモリサブシステム
７３０  ランダムアクセスメモリ（ＲＡＭ）
７３２  読み取り専用メモリ（ＲＯＭ）
【図１】
2019136775.tif 000003
【図２】
2019136775.tif 000004
【図３】
2019136775.tif 000005
【図４】
2019136775.tif 000006
【図５】
2019136775.tif 000007
【図６】
2019136775.tif 000008
【図７】
2019136775.tif 000009
【外国語明細書】
2019136775000001.pdf